(57)【要約】【課題】複数の装置の動作を制御するリモートコントロール装置において、何れの装置の動作を指示し得るモードになっているかを目視により容易に識別できる。【解決手段】リモートコントロール装置１は、ＤＶＤキー１７、ＶＣＲキー１８、モード表示窓１４と、空気ポンプ２２、２６、空気袋２４、２８、モード表示部材１９を有する。モード表示部材１９は、ＤＶＤキー１７側のエリア７１とＶＣＲキー１８側のエリア７２とで色分けされている。ＤＶＤキー１７を押下すると、空気ポンプ２２が圧縮されて空気袋２４が伸長し、モード表示部材１９がＶＣＲキー１８側に移動し、モード表示部材１９のエリア７１の色がモード表示窓１４に表示される。また、ＶＣＲキー１８を押下すると、空気ポンプ２４が圧縮されて空気袋２８が伸長し、モード表示部材１９がＤＶＤキー１７側に移動し、モード表示部材１９のエリア７２の色がモード表示窓１４に表示される。【選択図】図４
2005101794.tif 000002
【特許請求の範囲】
【請求項１】
デジタルビデオディスクプレーヤ及びビデオカセットレコーダの動作を指示するためにユーザにより操作される動作指示キーと、前記動作指示キーの操作に応じて、その操作に対応する無線信号を送出する信号送出部と、前記動作指示キーの操作に応じて前記デジタルビデオディスクプレーヤの動作を制御するための無線信号を前記信号送出部から送出するＤＶＤモード及び前記動作指示キーの操作に応じて前記ビデオカセットレコーダの動作を制御するための無線信号を前記信号送出部から送出するＶＣＲモードの何れかのモードを選択するモード選択キーと、前記モード選択キーの操作により選択されたモードを表示するモード表示手段とを備えたリモートコントロール装置において、
前記モード選択キーは、前記ＤＶＤモードを選択するための押ボタン式のＤＶＤキーと、前記ＶＣＲモードを選択するための押ボタン式のＶＣＲキーとを有し、
前記モード表示手段は、
前記ＤＶＤキーと前記ＶＣＲキーとの間に設けられたモード表示窓と、
前記ＤＶＤキーの押下操作により圧縮されて空気を排出すると共に前記ＤＶＤキーの押下操作の解除により圧縮状態から復帰して空気を吸入する前記ＤＶＤキーの内部に配置された第１の空気ポンプと、
前記第１の空気ポンプの空気の排出により前記ＶＣＲキーの配置されている方向に伸長すると共に前記第１の空気ポンプの空気の吸入により縮短する前記第１の空気ポンプと空気の流通が自在に接続された第１の空気袋と、
前記ＶＣＲキーの押下操作により圧縮されて空気を排出すると共に前記ＶＣＲキーの押下操作の解除により圧縮状態から復帰して空気を吸入する前記ＶＣＲキーの内部に配置された第２の空気ポンプと、
前記第２の空気ポンプの空気の排出により前記ＤＶＤキーの配置されている方向に伸長すると共に前記第２の空気ポンプの空気の吸入により縮短する前記第２の空気ポンプと空気の流通が自在に接続された第２の空気袋と、
前記第１の空気袋の伸長により前記ＶＣＲキーの配置されている方向にスライドされると共に前記第２の空気袋の伸長により前記ＤＶＤキーの配置されている方向にスライドされる前記モード表示窓に臨む位置に配置されたモード表示部材とを有し、
該モード表示部材は、該モード表示部材のスライド方向の一方側と他方側とで異なる着色が施されており、
前記ＤＶＤキー及び前記ＶＣＲキーの押下操作に応じて前記モード表示部材がスライドすることにより、前記モード表示窓に前記ＤＶＤキー及び前記ＶＣＲキーの押下操作に応じた色が表示され、このモード表示窓に表示される色により選択されたモードを識別可能としたことを特徴とするリモートコントロール装置。
【請求項２】
第１の装置及び第２の装置の動作を指示するためにユーザにより操作される動作指示キーと、前記動作指示キーの操作に応じて、その操作に対応する無線信号を送出する信号送出部と、前記動作指示キーの操作に応じて前記第１の装置の動作を制御するための無線信号を前記信号送出部から送出する第１モード及び前記動作指示キーの操作に応じて前記第２の装置の動作を制御するための無線信号を前記信号送出部から送出する第２モードの何れかのモードを選択するモード選択キーと、前記モード選択キーの操作により選択されたモードを表示するモード表示手段とを備えたリモートコントロール装置において、
前記モード選択キーは、押ボタンキーにより構成されており、
前記モード表示手段は、前記モード選択キーの押下操作に応じて流体を流動させる流体流動手段と、前記流体流動手段による流体の流動により動作されて前記選択されたモードを識別可能に表示するモード表示部材とを有することを特徴とするリモートコントロール装置。
【請求項３】
前記モード選択キーは、前記第１モードを選択するための第１の押ボタンキーと、前記第２モードを選択するための第２の押ボタンキーとを有し、
前記流体流動手段は、前記第１の押ボタンキーの押下操作により圧縮されて空気を排出する第１の空気ポンプと、前記第２の押ボタンキーの押下操作により圧縮されて空気を排出する第２の空気ポンプを有し、
前記モード表示部材は、前記第１の空気ポンプからの空気の排出及び前記第２の空気ポンプからの空気の排出により各々動作されて、前記選択されたモードを識別可能に表示するものである請求項２に記載のリモートコントロール装置。
【発明の詳細な説明】
【技術分野】
【０００１】
本発明は、例えばＤＶＤ（デジタルビデオディスクプレーヤ）とＶＣＲ（ビデオカセットレコーダ）のような複数の装置の動作を制御するためのリモートコントロール装置に関するものである。
【背景技術】
【０００２】
従来から、例えばＤＶＤとＶＣＲとを統合した機器がある。このような機器では、１台のリモートコントロール装置により、ＤＶＤの動作とＶＣＲの動作を制御できるようになっている。リモートコントロール装置は、小型化や低コスト化のために操作キーの配置数を制限する必要があり、ＤＶＤの動作を指示するための動作指示キーとＶＣＲの動作を指示するための動作指示キーとが兼用されている。そして、モード選択キーの操作によりＤＶＤモードとＶＣＲモードの何れかを選択できるようになっており、ＤＶＤモードでは動作指示キーの操作に応じてＤＶＤの動作を指示でき、ＶＣＲモードでは動作指示キーの操作に応じてＶＣＲの動作を指示できるようになっている。このようなリモートコントロール装置は、モード選択キーをスライドスイッチにより構成し、モード選択キーのスライド操作に応じてＤＶＤモードとＶＣＲモードとを選択的に切換えている。
【０００３】
また、モード切換スイッチのスライド操作に応じてモードを切換えるようにしたリモートコントロール装置に関し、操作ボタンを透明にすると共に、操作ボタンの操作機能を表示した銘板をモード切換スイッチのスライド操作に連動して操作ボタンの下方でスライドさせることにより、各モードでの各操作ボタンの操作機能を透明な操作ボタンを通して視認できるようにしたものが知られている（例えば、特許文献１参照）。
【特許文献１】特許第２７７１２３４号公報
【発明の開示】
【発明が解決しようとする課題】
【０００４】
ところが、上述した従来のリモートコントロール装置においては、モード選択キーにスライドスイッチを用いているため、制御部にてモードを判別するには、スライドスイッチから入力される信号のＨレベル、Ｌレベル等を検出する信号処理回路が必要であり、高コスト化になっていた。また、上述した特許文献１に記載のリモートコントロール装置においても、モード切換スイッチはスライドスイッチであり、同様の課題を有している。
【０００５】
そこで、モード選択キーにＤＶＤキーとＶＣＲキーの２つの押ボタンキーを用い、これらＤＶＤキー及びＶＣＲキーの押下操作に応じてモードを選択できるようにする構成が考えられる。このような構成を採用した場合、制御部にてモードを判別するには、ＤＶＤキー及びＶＣＲキーが押下されたことを示すＯＮ信号を検出するだけでよいため、低コスト化を図ることができる。
【０００６】
しかしながら、このような構成を採用したリモートコントロール装置では、ＤＶＤキー及びＶＣＲキーは押ボタンキーであるため、押下操作を解除すると元の位置に復帰してしまう。従って、ユーザは、リモートコントロール装置を見ても（すなわちモード選択キーであるＤＶＤキーとＶＣＲキーを見ても）、ＤＶＤモードとＶＣＲモードの何れのモードになっているのか判断できない。このため、目的の動作を確実に指示するためには、ＤＶＤの動作を指示する場合は一旦ＤＶＤキーを押下してから、また、ＶＣＲの動作を指示する場合は一旦ＶＣＲキーを押下してから、各々目的の動作を指示するための動作指示キーを押下しなければならない。つまり、目的の動作を指示するための動作指示キーを押下する前に、一旦、ＤＶＤキー又はＶＣＲキーを押下しなければならず、使い勝手の悪いものになってしまう。
【０００７】
本発明は、上記課題を解決するためになされたものであり、何れの装置の動作を指示し得るモードになっているかを目視により容易に識別できるリモートコントロール装置を提供することを目的とする。
【課題を解決するための手段】
【０００８】
上記目的を達成するために請求項１の発明は、デジタルビデオディスクプレーヤ及びビデオカセットレコーダの動作を指示するためにユーザにより操作される動作指示キーと、動作指示キーの操作に応じて、その操作に対応する無線信号を送出する信号送出部と、動作指示キーの操作に応じてデジタルビデオディスクプレーヤの動作を制御するための無線信号を信号送出部から送出するＤＶＤモード及び動作指示キーの操作に応じてビデオカセットレコーダの動作を制御するための無線信号を信号送出部から送出するＶＣＲモードの何れかのモードを選択するモード選択キーと、モード選択キーの操作により選択されたモードを表示するモード表示手段とを備えたリモートコントロール装置において、モード選択キーは、ＤＶＤモードを選択するための押ボタン式のＤＶＤキーと、ＶＣＲモードを選択するための押ボタン式のＶＣＲキーとを有し、モード表示手段は、ＤＶＤキーとＶＣＲキーとの間に設けられたモード表示窓と、ＤＶＤキーの押下操作により圧縮されて空気を排出すると共にＤＶＤキーの押下操作の解除により圧縮状態から復帰して空気を吸入するＤＶＤキーの内部に配置された第１の空気ポンプと、第１の空気ポンプの空気の排出によりＶＣＲキーの配置されている方向に伸長すると共に第１の空気ポンプの空気の吸入により縮短する第１の空気ポンプと空気の流通が自在に接続された第１の空気袋と、ＶＣＲキーの押下操作により圧縮されて空気を排出すると共にＶＣＲキーの押下操作の解除により圧縮状態から復帰して空気を吸入するＶＣＲキーの内部に配置された第２の空気ポンプと、第２の空気ポンプの空気の排出によりＤＶＤキーの配置されている方向に伸長すると共に第２の空気ポンプの空気の吸入により縮短する第２の空気ポンプと空気の流通が自在に接続された第２の空気袋と、第１の空気袋の伸長によりＶＣＲキーの配置されている方向にスライドされると共に第２の空気袋の伸長によりＤＶＤキーの配置されている方向にスライドされるモード表示窓に臨む位置に配置されたモード表示部材とを有し、該モード表示部材は、該モード表示部材のスライド方向の一方側と他方側とで異なる着色が施されており、ＤＶＤキー及びＶＣＲキーの押下操作に応じてモード表示部材がスライドすることにより、モード表示窓にＤＶＤキー及びＶＣＲキーの押下操作に応じた色が表示され、このモード表示窓に表示される色により選択されたモードを識別可能としたものである。
【０００９】
この構成においては、ＤＶＤキーを押下操作すると、第１の空気ポンプから空気が排出されて第１の空気袋が伸長し、この第１の空気袋の伸長によりモード表示部材がＶＣＲキー側にスライドされて、モード表示部材の一方側の着色部分がモード表示窓に表示される。また、ＶＣＲキーを押下操作すると、第２の空気ポンプから空気が排出されて第２の空気袋が伸長し、この第２の空気袋の伸長によりモード表示部材がＤＶＤキー側にスライドされて、モード表示部材の他方側の着色部分がモード表示窓に表示される。従って、ＤＶＤキーを押下操作した場合とＶＣＲキーを押下操作した場合とでは、モード表示窓に表示される色が異なり、これにより、選択されているモードが識別可能とされる。
【００１０】
請求項２の発明は、第１の装置及び第２の装置の動作を指示するためにユーザにより操作される動作指示キーと、動作指示キーの操作に応じて、その操作に対応する無線信号を送出する信号送出部と、動作指示キーの操作に応じて第１の装置の動作を制御するための無線信号を信号送出部から送出する第１モード及び動作指示キーの操作に応じて第２の装置の動作を制御するための無線信号を信号送出部から送出する第２モードの何れかのモードを選択するモード選択キーと、モード選択キーの操作により選択されたモードを表示するモード表示手段とを備えたリモートコントロール装置において、モード選択キーは、押ボタンキーにより構成されており、モード表示手段は、モード選択キーの押下操作に応じて流体を流動させる流体流動手段と、流体流動手段による流体の流動により動作されて選択されたモードを識別可能に表示するモード表示部材とを有するものである。
【００１１】
この構成においては、モード選択キーを押下操作すると、流体流動手段による流体の流動によってモード表示部材が動作され、これにより、モード選択キーにより選択されたモードが識別可能とされる。
【００１２】
請求項３の発明は、請求項２に記載のリモートコントロール装置において、モード選択キーは、第１モードを選択するための第１の押ボタンキーと、第２モードを選択するための第２の押ボタンキーとを有し、流体流動手段は、第１の押ボタンキーの押下操作により圧縮されて空気を排出する第１の空気ポンプと、第２の押ボタンキーの押下操作により圧縮されて空気を排出する第２の空気ポンプを有し、モード表示部材は、第１の空気ポンプからの空気の排出及び第２の空気ポンプからの空気の排出により各々動作されて、選択されたモードを識別可能に表示するものである。
【００１３】
この構成においては、第１の押ボタンキーを押下操作すると、第１の空気ポンプから空気が排出されて、この空気の排出によりモード表示部材が動作される。また、第２の押ボタンキーを押下操作すると、第２の空気ポンプから空気が排出されて、この空気の排出によりモード表示部材が動作される。すなわち、第１の押ボタンキーを押下操作した場合と第２の押ボタンキーを押下操作した場合に、各々、モード表示部材が空気を利用して動作されて、選択されているモードが識別可能とされる。
【発明の効果】
【００１４】
請求項１の発明によれば、ＤＶＤキー及びＶＣＲキーの押下操作によりスライドされるモード表示部材がモード表示窓に臨む位置に配置され、モード表示部材にはスライド方向の一方側と他方側とで異なる着色が施されているため、モード表示窓に臨むモード表示部材の色によって、選択されているモードを容易に識別することができる。しかも、ＤＶＤキー及びＶＣＲキーが押ボタン式であることにより、ＤＶＤキー及びＶＣＲキーが押下されたことを示すＯＮ信号を基にモードの切換え制御ができるため、低コスト化を図ることができる。さらに、ＤＶＤキー及びＶＣＲキーの押下操作により空気を排出する空気ポンプと、この空気ポンプから排出される空気により伸長する空気袋とにより、空気を利用してモード表示部材をスライドさせているため、軽量化を図ることができる。また、空気ポンプは、ＤＶＤキー及びＶＣＲキーの内部に配置されているため、小型化を図ることができる。
【００１５】
請求項２の発明によれば、モード選択キーの押下操作により動作されるモード表示部材を有するため、このモード表示部材の動作状態によって、選択されているモードを容易に識別することができる。しかも、モード選択キーが押ボタン式であることにより、モード選択キーが押下されたことを示すＯＮ信号を基にモードの切換え制御ができるため、低コスト化を図ることができる。さらに、流体の流動を利用してモード表示部材を動作させているため、モード選択キーの動きを伝達してモード表示部材を動作させるための駆動機構を小さく簡単な構成で実現することができる。
【００１６】
請求項３の発明によれば、モード選択キーの押下操作により空気を排出する空気ポンプを有し、空気を利用してモード表示部材を動作させているため、軽量化を図ることができる。
【発明を実施するための最良の形態】
【００１７】
以下、本発明を具体化した実施形態について図面を参照して説明する。図１及び図２（ａ）（ｂ）において、リモートコントロール装置１は、ＤＶＤ（デジタルビデオディスクプレーヤ）２とＶＣＲ（ビデオカセットレコーダ）３を統合したデュアル映像記録再生機器４の動作を無線信号により遠隔制御するものである。リモートコントロール装置１は、本体ケース１１の上面にユーザにより操作される操作キー１２を備え、本体ケース１１の先端に操作キー１２の操作に応じて無線信号を送出する信号送出部１３を備えている。また、リモートコントロール装置１は、本体ケース１１の上面にリモートコントロール装置１の動作モードを表示するモード表示窓１４を備えている。
【００１８】
操作キー１２は、動作指示キー１５と、モード選択キー１６とを有している。動作指示キー１５は、デュアル映像記録再生機器４の各種動作を指示するためのキーであり、複数のキーを有しており、ＤＶＤ２の録画、再生、停止、早送り、巻戻し等の動作を指示するためのキーと、ＶＣＲ３の録画、再生、停止、早送り、巻戻し等の動作を指示するキーが兼用されている。各動作指示キー１５は、押ボタン式のキーにより構成されている。
【００１９】
モード選択キー１６は、リモートコントロール装置１の動作モードをＤＶＤモード及びＶＣＲモードの何れかに選択するためのキーであり、ＤＶＤキー１７とＶＣＲキー１８とを有している。ＤＶＤキー１７及びＶＣＲキー１８は、押ボタン式のキーにより構成されている。リモートコントロール装置１は、ＤＶＤキー１７が押下操作されるとＤＶＤモードになり、ＶＣＲキー１８が押下操作されるとＶＣＲモードになる。リモートコントロール装置１は、ＤＶＤモードでは、動作指示キー１５の操作に応じてＤＶＤ２の動作を制御するための無線信号を信号送出部１３から送出し（すなわち動作指示キー１５がＤＶＤ２の動作を指示するために使用される）、ＶＣＲモードでは、動作指示キー１５の操作に応じてＶＣＲ３の動作を制御するための無線信号を信号送出部１３から送出する（すなわち動作指示キー１５がＶＣＲ３の動作を指示するために使用される）。
【００２０】
モード表示窓１４は、ＤＶＤモードとＶＣＲモードの何れが選択されているかを表示するものであり、本体ケース１１に形成した開口により構成されており、ＤＶＤキー１７とＶＣＲキー１８の略中間位置に設けられている。本体ケース１１内のモード表示窓１４に臨む位置には、２色に色分けされたモード表示部材１９が配置されている。モード表示窓１４は、モード表示部材１９がＤＶＤキー１７及びＶＣＲキー１８の押下操作に応じて各々スライドされることにより、ＤＶＤキー１７を押下操作したときとＶＣＲモード１８を押下操作したときとで異なる色を表示するようになっている。例えば、モード表示部材１９は白と黒に色分けされており、モード表示窓１４は、ＤＶＤキー１７が押下操作されると白色を表示し（図２（ａ）参照）、ＶＣＲキー１８が押下操作されると黒色を表示する（図２（ｂ）参照）ようになっている。リモートコントロール装置１は、モード表示窓１４に表示される色により、選択されているモードが目視により識別可能とされている。
【００２１】
次に、上記リモートコントロール装置１の内部構造について、図３（ａ）（ｂ）を参照して説明する。リモートコントロール装置１は、上記ＤＶＤキー１７、ＶＣＲキー１８、モード表示部材１９に加え、第１の弾性支持部２１と、第１の空気ポンプ２２と、第１のポンプ支持台２３と、第１の空気袋２４と、第２の弾性支持部２５と、第２の空気ポンプ２６と、第２のポンプ支持台２７と、第２の空気袋２８と、表示板支持台２９と、回路基板３０とを備えている。第１の空気ポンプ２２、第１の空気袋２４、第２の空気ポンプ２６、及び第２の空気袋２８により、流体流動手段が構成されており、また、モード表示窓１４、モード表示部材１９、第１の空気ポンプ２２、第１の空気袋２４、第２の空気ポンプ２６、第２の空気袋２８、及び表示板支持台２９により、モード表示手段が構成されている。
【００２２】
ＤＶＤキー１７は、樹脂等により形成されており、内部が中空で下端側が開放されていると共に、側面に切欠き４１を有する構造になっている。ＤＶＤキー１７は、その下端が第１の弾性支持部２１に接着等により取付けられている。
【００２３】
第１の弾性支持部２１は、回路基板３０に取付けられており、その弾性力によってＤＶＤキー１７を上下変位可能に支持している。この第１の弾性支持部２１は、弾性ゴム等により形成されており、その下面に電気接点５１を有している。一方、回路基板３０は、電気接点５１に対応する箇所に電気接点対５２、５３を有している。第１の弾性支持部２１は、外力が加えられていない状態では、ＤＶＤキー１７を初期位置に支持するように、また、電気接点５１を電気接点対５２、５３から離反させるように、その形状を保っている。
【００２４】
第１の空気ポンプ２２は、ＤＶＤキー１７の内部に配置されており、第１のポンプ支持台２３に支持されている。この第１の空気ポンプ２２は、樹脂等により形成されており、圧縮されることによりチューブ６１から空気を排出し、圧縮状態から復元されることによりチューブ６１から空気を吸入するようになっている。第１のポンプ支持台２３は、ＤＶＤキー１７の内部で第１の空気ポンプ２２を支持しており、その脚部６５がＤＶＤキー１７の切欠き４１を通してＤＶＤキー１７の外部に出されて回路基板３０に固定されている。また、第１の空気ポンプ２２のチューブ６１も、切欠き４１を通してＤＶＤキー１７の外部に出されている。第１の空気ポンプ２２は、外力が加えられていない状態では、ＤＶＤキー１７と第１のポンプ支持台２３の間に膨らんだ形状を保つように構成されている。
【００２５】
第１の空気袋２４は、第１の空気ポンプ２２のチューブ６１に接続されており、第１の空気ポンプ２２と空気の流通が自在となっている。この第１の空気袋２４は、ビニール等により形成されており、空気ポンプ２２から空気が排出されることにより伸長し、また、空気ポンプ２２に空気が吸入されることにより縮短するようになっている。
【００２６】
ＶＣＲキー１８、第２の弾性支持部２５、第２の空気ポンプ２６、第２のポンプ支持台２７、第２の空気袋２８の構成は、各々、上記ＤＶＤキー１７、第１の弾性支持部２１、第１の空気ポンプ２２、第１のポンプ支持台２３、第１の空気袋２４の構成と同様であり、その説明を省略する。
【００２７】
モード表示部材１９は、モード表示窓１４に臨む位置に配置されており、表示板支持台２９により、ＤＶＤキー１７の配置されている方向、及びＶＣＲキー１８の配置されている方向にスライド自在に支持されている。モード表示部材１９は、その上面がＤＶＤキー１７側とＶＣＲキー１８側（モード表示部材１９のスライド方向の一方側と他方側）とで異なる色に着色されており、例えば、ＤＶＤキー１７側のエリア７１が白色に着色され、ＶＣＲキー１８側のエリア７２が黒色に着色されている。また、モード表示部材１９は、その下面に突出するレバー７５を有している。
【００２８】
表示板支持台２９は、回路基板３０に取付けられており、モード表示部材１９のレバー７５がスライド自在に係合されるレバー係合溝８１と、モード表示部材１９のスライド動作を案内する案内壁８２、８３とを有している。レバー係合溝８１及び案内壁８２、８３は、ＤＶＤキー１７の中心とＶＣＲキー１８の中心とを結ぶ直線に略平行に伸びている。モード表示部材１９は、レバー７５が表示板支持台２９のレバー係合溝８１に係合された状態で、表示板支持台２９の案内壁８２、８３の間に載置されることにより、ＤＶＤキー１７の配置されている方向、及びＶＣＲキー１８の配置されている方向にスライド自在になっている。
【００２９】
また、表示板支持台２９は、第１の空気袋２４が挿入される第１の空気袋挿入孔８５と、第２の空気袋２８が挿入される第２の空気袋挿入孔８６とを有している。これら第１の空気袋挿入孔８５及び第２の空気袋挿入孔８６は、レバー係合溝８１に真直ぐに繋がっている。従って、第１の空気袋２４は、ＶＣＲキー１８の配置されている方向への伸長が可能になっており、また、第２の空気袋２８は、ＤＶＤキー１７の配置されている方向への伸長が可能になっている。モード表示部材１９は、第１の空気袋２４の伸長により、レバー７５が第１の空気袋２４の先端に押されてＶＣＲキー１８の配置されている方向にスライドすると共に、第２の空気袋２８の伸長により、レバー７５が第２の空気袋２８の先端に押されてＤＶＤキー１７の配置されている方向にスライドするようになっている。
【００３０】
また、制御部及びメモリ（何れも図示省略）が回路基板３０に実装されている。制御部は、電気接点５１と電気接点対５２、５３が閉じられたきのＯＮ信号によりＤＶＤキー１７が押下操作されたことを検出し、以降、ＤＶＤモードでの動作制御を行うと共に、電気接点５１と電気接点対５２、５３が閉じられたきのＯＮ信号によりＶＣＲキー１８が押下操作されたことを検出し、以降、ＶＣＲモードでの動作制御を行う。そして、制御部は、動作指示キー１５が押下操作されると、動作指示キー１５の押下操作に対応するＤＶＤ２の動作制御信号又はＶＣＲ３の動作制御信号をメモリに記憶されているデータに基づいて生成し、その動作制御信号を信号送出部１３から送出する。
【００３１】
次に、上記リモートコントロール装置１のモード選択動作について、図４（ａ）（ｂ）（ｃ）（ｄ）を参照して説明する。まず、図４（ａ）に示すように、ＤＶＤキー１７を押下操作すると、弾性支持部２１が弾性変形して電気接点５１が押し下げられ、電気接点５１と電気接点対５２、５３が閉じる。これにより、ＤＶＤキー１７の押下操作が制御部により検出されて、以降、ＤＶＤモードでの制御が行われる。また、ＤＶＤキー１７の押下操作により、第１の空気ポンプ２２がＤＶＤキー１７とポンプ支持台２３との間で圧縮されて、第１の空気ポンプ２２から第１の空気袋２４に空気が排出される。これにより、第１の空気袋２４は伸長して、第１の空気袋２４の先端がモード表示部材１９のレバー７５を押し、モード表示部材１９がＶＣＲキー１８の配置されている側にスライドされる。このモード表示部材１９のスライドにより、モード表示部材１９のＤＶＤキー１７側のエリア７１がモード表示窓１４に臨み、モード表示窓１４に白色が表示された状態になる（図２（ａ）参照）。
【００３２】
そして、図４（ｂ）に示すように、ＤＶＤキー１７の押下操作を解除すると、弾性支持部２１はその弾性力により弾性変形した状態から元の形状に復元し、これにより、ＤＶＤキー１７が初期位置に復帰すると共に、電気接点５１と電気接点対５２、５３が開く。また、ＤＶＤキー１７が初期位置に復帰することにより、空気ポンプ２２が圧縮状態から復元されて、第１の空気袋２４から第１の空気ポンプ２２に空気が吸入される。これにより、第１の空気袋２４は、元の状態に縮短する。このとき、モード表示部材１９は、ＶＣＲキー１８の配置されている側にスライドされた状態を維持し、これにより、モード表示窓１４に白色が表示された状態が維持される。
【００３３】
また、図４（ｃ）に示すように、ＶＣＲキー１８を押下操作すると、弾性支持部２５が弾性変形して電気接点５１が押し下げられ、電気接点５５と電気接点対５６、５７が閉じる。これにより、ＶＣＲキー１８の押下操作が制御部により検出されて、以降、ＶＣＲモードでの制御が行われる。また、ＶＣＲキー１８の押下操作により、第２の空気ポンプ２６がＶＣＲキー１８とポンプ支持台２７との間で圧縮されて、第２の空気ポンプ２６から第２の空気袋２８に空気が排出される。これにより、第２の空気袋２８は伸長して、第２の空気袋２８の先端がモード表示部材１９のレバー７５を押し、モード表示部材１９がＤＶＤキー１７の配置されている側にスライドされる。このモード表示部材１９のスライドにより、モード表示部材１９のＶＣＲキー１８側のエリア７２がモード表示窓１４に臨み、モード表示窓１４に黒色が表示された状態になる（図２（ｂ）参照）。
【００３４】
そして、図４（ｄ）に示すように、ＶＣＲキー１８の押下操作を解除すると、弾性支持部２５はその弾性力により弾性変形した状態から元の形状に復元し、これにより、ＶＣＲキー１８が初期位置に復帰すると共に、電気接点５５と電気接点対５６、５７が開く。また、ＶＣＲキー１８が初期位置に復帰することにより、空気ポンプ２６が圧縮状態から復元されて、第２の空気袋２８から第２の空気ポンプ２６に空気が吸入される。これにより、第２の空気袋２８は、元の状態に縮短する。このとき、モード表示部材１９は、ＤＶＤキー１７の配置されている側にスライドされた状態を維持し、これにより、モード表示窓１４に黒色が表示された状態が維持される。
【００３５】
このように、ＤＶＤキー１７を押下操作すると、次にＶＣＲキー１８を押下操作するまで、ＤＶＤモードでの制御が行われると共に、モード表示窓１４に白色（モード表示部材１９のＤＶＤキー１７側のエリア７１に着色されている色）が表示された状態が維持される。また、ＶＣＲキー１８を押下操作すると、次にＤＶＤキー１７を押下操作するまで、ＶＣＲモードでの制御が行われると共に、モード表示窓１４に黒色（モード表示部材１９のＶＣＲキー１８側のエリア７２に着色されている色）が表示された状態が維持される。従って、ＤＶＤモードが選択されている状態とＶＣＲモードが選択されている状態とでは、モード表示窓１４に表示される色が異なり、これにより、選択されているモードが目視により識別可能とされる。
【００３６】
なお、本発明は、上記実施形態の構成に限られず、種々の変形が可能である。例えば、上記実施形態において、ＤＶＤキー１７及びＶＣＲキー１８は、各々、ＤＶＤモード及びＶＣＲモードにてモード表示窓１４に表示される色と同じ色に着色しておいてもよい。このような構成によれば、ＤＶＤモードではＤＶＤキー１７と同じ色がモード表示窓１４に表示され、ＶＣＲモードではＶＣＲキー１８と同じ色がモード表示窓１４に表示されるため、選択されているモードの識別が一層容易になる。
【００３７】
モード表示部材１９は、スライド方向の一方側と他方側とで異なる着色を施したものに限らず、スライド方向の一方側と他方側とで例えば異なる文字や記号等を表示したものであってもよい。このような構成によれば、ＤＶＤキー１７を押下操作した場合とＶＣＲキー１８を押下操作した場合とで異なる文字や記号等がモード表示窓１４に表示されて、選択されているモードが識別可能とされる。また、空気に代えて、水やオイル等の流体を利用して、モード表示部材１９を動作させてもよい。
【００３８】
リモートコントロール装置１は、ＤＶＤ２とＶＣＲ３が統合されたデュアル映像記録再生機器に限らず、ＤＶＤ２とＶＣＲ３が各々独立して動作するものにも適用可能である。また、リモートコントロール装置１は、ＤＶＤ２とＶＣＲ３に限らず、複数の装置の動作を制御するのであれば、例えばテレビジョン装置、オーディオ装置、空調装置等、どのような装置を制御するものにも適用可能である。
【図面の簡単な説明】
【００３９】
【図１】本発明の一実施形態に係るリモートコントロール装置を用いたデュアル映像記録再生機器システムの概略構成を示すシステム構成図。
【図２】（ａ）は同リモートコントロール装置の概略構成を示すＤＶＤモードが選択された状態の斜視図、（ｂ）は同ＶＣＲモードが選択された状態の斜視図。
【図３】（ａ）は同リモートコントロール装置の内部構造を示す一部破断した正面図、（ｂ）は（ａ）のＡ−Ａ断面図。
【図４】（ａ）は同リモートコントロール装置のＤＶＤキーの押下状態を示す断面図、（ｂ）は同ＤＶＤキーの押下を解除した状態を示す断面図、（ｃ）はＶＣＲキーの押下状態を示す断面図、（ｄ）は同ＶＣＲキーの押下を解除した状態を示す断面図。
【符号の説明】
【００４０】
１    リモートコントロール装置
２    ＤＶＤ（デジタルビデオディスクプレーヤ）（第１の装置）
３    ＶＣＲ（ビデオカセットレコーダ）（第２の装置）
４    デュアル映像記録再生機器
１１  本体ケース
１２  操作キー
１３  信号送出部
１４  モード表示窓（モード表示手段）
１５  動作指示キー
１６  モード選択キー
１７  ＤＶＤキー（第１の押ボタンキー）
１８  ＶＣＲキー（第２の押ボタンキー）
１９  モード表示部材（モード表示手段）
２２  第１の空気ポンプ（流体流動手段、モード表示手段）
２４  第１の空気袋（流体流動手段、モード表示手段）
２６  第２の空気ポンプ（流体流動手段、モード表示手段）
２８  第２の空気袋（流体流動手段、モード表示手段）
【図１】
2005101794.tif 000003
【図２】
2005101794.tif 000004
【図３】
2005101794.tif 000005
【図４】
2005101794.tif 000006